(57)【要約】      （修正有）【課題】組み付け作業を容易にしたうえで、取り付け状態を保持することができる陳列用什器の支柱に取り付けられるオプション部材の取付構造を提供する。【解決手段】取付構造１０は、支柱２０に係止孔２１が配設され、側板部材は、支柱対向枠部を有し、支柱対向枠部は、支柱と対向する側には外側挿通孔７０が、支柱と対向する側の反対側には内側挿通孔６９が配設される。支柱対向枠部には、内側挿通孔及び外側挿通孔を挿通させた差し込み部材が配設され、差し込み部材は、支柱対向枠部の外側に突出して、係止孔２１に差し込まれて係止孔と係止可能な係止片８２を有する。係止片８２が係止孔２１に差し込まれた状態において、係止孔の上端部と係止片の上面との間には、第一の隙間Ｓ１が形成され、第一の隙間に外れ止め部材が嵌め込まれている。【選択図】図１３
0003216777.tif 000002
【実用新案登録請求の範囲】
【請求項１】
陳列用什器の支柱に取り付けられるオプション部材の取付構造であって、
前記支柱には、係止孔が配設され、
前記オプション部材は、少なくとも、前記支柱と対向する支柱対向枠部を有し、
前記支柱対向枠部は、筒状に形成され、前記支柱と対向する側には外側挿通孔が、前記支柱と対向する側とは反対側には内側挿通孔が配設され、
前記支柱対向枠部には、前記内側挿通孔及び前記外側挿通孔を挿通させた差し込み部材が配設され、
前記差し込み部材は、前記支柱対向枠部の外側に突出して、前記係止孔に差し込まれて前記係止孔と係止可能な係止片を有し、
前記係止片が、前記係止孔に差し込まれた状態において、前記係止孔の上端部と、前記係止片の上面との間には、第一の隙間が形成され、
前記第一の隙間に外れ止め部材が嵌め込まれていることを特徴とするオプション部材の取付構造。
【請求項２】
前記内側挿通孔及び前記外側挿通孔の上端部と、前記差し込み部材の上面との間には、第二の隙間が形成され、
前記差し込み部材には、前記支柱対向枠部の内周側に突出する平板状の内側突片が配設され、
前記外れ止め部材が、略コの字状に形成されたコの字部と、コの字部から延設される嵌め込み部と、を有し、
前記第一の隙間及び前記第二の隙間に、前記嵌め込み部を挿通させた状態で、前記嵌め込み部が前記第一隙間に嵌め込まれ、前記コの字部が前記内側突片の外側に嵌め込まれていることを特徴とする請求項１記載のオプション部材の取付構造。
【請求項３】
前記支柱の下端部には、前記支柱から前側に延びるベースフレームが配設され、
前記支柱対向枠部には、前記支柱対向枠部から前側に延びて前記ベースフレームと対向するベースフレーム対向枠部が配設され、
前記ベースフレームに配設される係合部と、前記ベースフレーム対向枠部に配設される被係合部とが係合していることを特徴とする請求項１又は２記載のオプション部材の取付構造。
【請求項４】
前記オプション部材が、側板部材であることを特徴とする請求項１、２又は３に記載のオプション部材の取付構造。
【考案の詳細な説明】
【技術分野】
【０００１】
本考案は、陳列用什器の支柱に取り付けられるオプション部材の取付構造に関するものである。
【背景技術】
【０００２】
従来の商品陳列棚（陳列用什器）における支柱の前面に、前方を向くオプション部材を取り付ける取付構造として、特許文献１に記載されるものがあった。これによれば、支柱の前面に設けた係止孔に、係止部材の後端に設けた係止爪を係止し、オプション部材の後端の一部を支柱の前面に当接させるとともに、オプション部材の後端よりやや前部に垂直片を設け、この垂直片と係止部材とを、ボルトにより互いに引き寄せ合うように締め付けていた。
【先行技術文献】
【特許文献】
【０００３】
【特許文献１】特開２００３−２７５０７１号公報
【考案の概要】
【考案が解決しようとする課題】
【０００４】
しかし、上記の商品陳列棚（陳列用什器）の支柱へのオプション部材の取付構造では、垂直片と係止部材とを、ボルト締めしなければならないため組み付け作業が困難であった。
【０００５】
本考案は、上記事情に鑑み、組み付け作業を容易にしたうえで、取り付け状態を保持することができる陳列用什器の支柱に取り付けられるオプション部材の取付構造を提供するものである。
【課題を解決するための手段】
【０００６】
請求項１記載の考案では、陳列用什器の支柱に取り付けられるオプション部材の取付構造であって、
前記支柱には、係止孔が配設され、
前記オプション部材は、少なくとも、前記支柱と対向する支柱対向枠部を有し、
前記支柱対向枠部は、筒状に形成され、前記支柱と対向する側には外側挿通孔が、前記支柱と対向する側とは反対側には内側挿通孔が配設され、
前記支柱対向枠部には、前記内側挿通孔及び前記外側挿通孔を挿通させた差し込み部材が配設され、
前記差し込み部材は、前記支柱対向枠部の外側に突出して、前記係止孔に差し込まれて前記係止孔と係止可能な係止片を有し、
前記係止片が、前記係止孔に差し込まれた状態において、前記係止孔の上端部と、前記係止片の上面との間には、第一の隙間が形成され、
前記第一の隙間に外れ止め部材が嵌め込まれている。
【０００７】
これによれば、係止孔の上端部と係止片の上面との間に形成された第一の隙間に、外れ止め部材を嵌め込むという容易な作業で、オプション部材に力がかけられても、オプション部材の移動を規制して、支柱とオプション部材の取り付け状態を保持することができる。
【０００８】
また、前記内側挿通孔及び前記外側挿通孔の上端部と、前記差し込み部材の上面との間には、第二の隙間が形成され、
前記差し込み部材には、前記支柱対向枠部の内周側に突出する平板状の内側突片が配設され、
前記外れ止め部材が、略コの字状に形成されたコの字部と、コの字部から延設される嵌め込み部と、を有し、
前記第一の隙間及び前記第二の隙間に、前記嵌め込み部を挿通させた状態で、前記嵌め込み部が前記第一隙間に嵌め込まれ、前記コの字部が前記内側突片の外側に嵌め込まれている。
【０００９】
これによれば、外れ止め部材のコの字部を内側突片の外側に嵌め込んで、係止片側に押し込むことで嵌め込み部を第一隙間に嵌め込むことが可能となるので、組み付け作業を容易にすることに寄与する。
【００１０】
また、前記支柱の下端部には、前記支柱から前側に延びるベースフレームが配設され、
前記支柱対向枠部には、前記支柱対向枠部から前側に延びて前記ベースフレームと対向するベースフレーム対向枠部が配設され、
前記ベースフレームに配設される係合部と、前記ベースフレーム対向枠部に配設される被係合部とが係合している。
【００１１】
これによれば、ベースフレームに配設される係合部と、ベースフレーム対向枠部に配設される被係合部とが係合することで、オプション部材が左右方向へ揺動しようとする動きを規制することが可能となり、支柱とオプション部材の取り付け状態を保持することに寄与する。
【００１２】
前記オプション部材を、側板部材とすれば、容易な作業で、支柱と側板部材の取り付け状態を保持することが可能となる。
【図面の簡単な説明】
【００１３】
【図１】本考案の一実施形態における陳列用什器の支柱にオプション部材が取り付けられた状態の斜視図である。
【図２】本考案の一実施形態における陳列用什器の支柱にオプション部材が取り付けられた状態の側面図である。
【図３】同実施形態の（ａ）は支柱及びベースフレームの斜視図、（ｂ）ベースフレームの係合部の部分拡大斜視図である。
【図４】同実施形態の側板部材の前側からみた斜視図である。
【図５】同実施形態の側板部材の後側からみた斜視図である。
【図６】内側挿通孔及びその周辺の部分拡大斜視図である。
【図７】外側挿通孔及びその周辺の部分拡大斜視図である。
【図８】差し込み部材の側面図である。
【図９】差し込み部材が取り付けられた状態の外側挿通孔及びその周辺の部分拡大斜視図である。
【図１０】差し込み部材が取り付けられた状態の内側挿通孔及びその周辺の部分拡大斜視図である。
【図１１】外れ止め部材の（ａ）は斜視図、（ｂ）は側面図、（ｃ）は正面図である。
【図１２】図１の部分拡大斜視図である。
【図１３】図２の丸ＸＩＩＩの部分拡大断面図である。
【図１４】図２の丸ＸＩＶの部分拡大断面図である。
【考案を実施するための形態】
【００１４】
本考案の一実施形態について図面に基づいて説明する。以下の説明では、各図面に付される矢印の、Ｆを前、Ｂを後ろ、Ｒを右、Ｌを左、Ｕを上、Ｄを下、方向とする。
【００１５】
本考案は、概略的には、図１、２に示す、陳列用什器の支柱２０に取り付けられるオプション部材の取付構造１０であり、本実施形態では、オプション部材として側板部材６０が取り付けられる。
【００１６】
支柱２０は、金属製で、図１〜３、１２、１３等に示すように、四角筒状に形成され、支柱２０の前壁には、外面から内面まで貫通するとともに、上下方向に長い矩形状の貫通孔として形成された係止孔２１が、上下方向に沿って二列配設されている。
【００１７】
支柱２０の下端部には、前側に延びるベースフレーム４０が、配設されている。ベースフレーム４０は、金属製で、図１〜３、１４に示すように、四角筒状に形成され、陳列用什器の左右の端部に、長手方向を前後方向に沿わせて配置されるものである。ベースフレーム４０の下面には、設置面との設置高さを調整するアジャスター４１が取り付けられている。ベースフレーム４０は、ベースフレーム４０の後端部において、支柱２０の下端部に取り付けられている。
【００１８】
ベースフレーム４０の前端部の上壁には、外面から内面まで貫通する貫通孔として形成された係合部挿通孔４２が、左右方向に沿って二つ配設されている。
【００１９】
ベースフレーム４０の前端部には、開口部分を覆い可能な前面覆い部材４３が取り付けられている。前面覆い部材４３の上端部には、後方に向かって水平方向に沿って延びる水平部４４と水平部４４の後端部から上方に延びる係合部４５を有している。
【００２０】
本実施形態では、係合部４５は、舌片状に形成され後述する被係合部７１に挿入可能な形状とされている。
【００２１】
前面覆い部材４３の下端部には、後方に向かって折り曲げられ、ベースフレーム４０の下壁の内側に嵌め込み可能とされている、折曲部４６が配設されている。
【００２２】
本実施形態では、図１４に示すように、折曲部４６は、前後方向における中央部付近で上方にさらに屈曲して、アジャスター４１と干渉しないように形成されている。そして、係合部４５を係合部挿通孔４２の内面側から差し込んで、折曲部４６をベースフレーム４０内に嵌め込むことで、前面覆い部材４３が、ベースフレーム４０に取り付けられる。
【００２３】
オプション部材としての側板部材６０は、図１、２、４〜１０等に示すように、外周縁枠６１と、格子本体６８と、差し込み部材８０と、を有している。
【００２４】
外周縁枠６１は、金属製で略角筒状に形成され、後縦枠６２、下枠６３、前縦枠６４、上枠６５を有して、前側上部が切り取られた略矩形枠状に形成されている。
【００２５】
本実施形態では、後縦枠６２と上枠６５の後端部が、支柱２０と対向する支柱対向枠部６６とされ、下枠６３と後縦枠６２の下端部と前縦枠６４の下端部が、ベースフレーム４０と対向するベースフレーム対向枠部６７とされる。
【００２６】
格子本体６８は、金属製の線状部材が、前後左右方向において交差する格子状に形成され、外周縁枠６１内に取り付けられている。
【００２７】
本考案の要部を以下に説明する。
【００２８】
後縦枠６２の前壁には、図４、６等に示すように、外面から内面まで貫通する貫通孔として形成された内側挿通孔６９が、上部と下部に二つ配設されている。
【００２９】
後縦枠６２の後壁には、図５、７等に示すように、外面から内面まで貫通する貫通孔として形成された外側挿通孔７０が、上部と下部に二つ配設されている。
【００３０】
本実施形態では、図１３に示すように、内側挿通孔６９の上端と、外側挿通孔７０の上端とは、上下方向における高さが同じとなるように形成されている。一方、内側挿通孔６９の下端と、外側挿通孔７０の下端とは、上下方向における高さが異なるように形成されている。詳説すれば、外側挿通孔７０の方が、内側挿通孔６９に対して、上下方向において二倍強の長さとなるように設定されている。
【００３１】
図１４に示すように、前縦枠６４の下端部は開放して、ベースフレーム４０の係合部４５を挿入可能に形成され、係合部４５と係合可能な被係合部７１とされている。
【００３２】
差し込み部材８０は、図８〜１０等に示すように、金属製で平板状に形成され、本体８１と、係止片８２と、内側突片８３と、を有している。
【００３３】
本体８１は、上下方向に長い略矩形状に形成されている。係止片８２は、本体８１の、上部と、上下方向における中央下寄りの位置から、後側に逆Ｌ字状に延設されている。内側突片８３は、本体８１の上部から前側に略矩形状に延設され、図１３に示すように、上下方向における長さが、内側挿通孔６９の上下方向における長さより短く設定されている。
【００３４】
本体８１と、係止片８２と、内側突片８３の上端面は、平坦面に形成されている。つまり、差し込み部材８０の上端面は平坦面に形成されていることになり、後述する外れ止め部材１００の嵌め込み部１０４の通過を容易にしている。
【００３５】
本実施形態では、図９、１０、１３等に示すように、差し込み部材８０を、内側突片８３から外側挿通孔７０に挿入して、さらに、内側突片８３を内側挿通孔６９に挿通させて後縦枠６２の前壁から前側に突出させた状態とする。このとき、係止片８２は、後縦枠６２の後面から後側に突出し、内側突片８３の基部側の下端面は、内側挿通孔６９の下端部と当接し、本体８１は、前端面が後縦枠６２の前壁の内面と当接して、差し込み部材８０の位置が決まる。そして、位置決めされた差し込み部材８０を溶接等することで、差し込み部材８０が後縦枠６２に取り付けられる。
【００３６】
係止片８２が、図１３に示す、係止孔２１に差し込まれた状態において、係止孔２１の上端部と、上側の係止片８２の上面との間に形成される隙間が、第一の隙間Ｓ１とされ、内側挿通孔６９及び外側挿通孔７０の上端部と、差し込み部材８０の上面との間に形成される隙間が第二の隙間Ｓ２とされる。
【００３７】
外れ止め部材１００は、合成樹脂製で、図１１〜１３に示すように、コの字部１０１と、コの字部１０１から後側に延設される嵌め込み部１０４と、を有している。
【００３８】
コの字部１０１は、一対の側片１０２と、側片１０２の上端部どうしを連結する連結片１０３と、を有して略コの字状に形成されている。
【００３９】
一対の側片１０２は、基端から自由端に向かうにしたがって間隔が狭くなるように形成され、内側突片８３の外側に嵌め込まれたときに弾性変形により、内側突片８３とコの字部１０１との嵌め合い状態を強固なものとする。連結片１０３の下端面は平坦面に形成されている。
【００４０】
嵌め込み部１０４は、略四角柱状に形成されている。嵌め込み部１０４の下端面は、平坦面に形成され、連結片１０３の下端面と連設され、差し込み部材８０の上端面を摺動可能とされている。
【００４１】
嵌め込み部１０４の左右方向における幅は、係止孔２１の左右方向における幅と略同一に設定されている。
【００４２】
嵌め込み部１０４の上下方向における幅は、係止片８２が、係止孔２１に差し込まれた状態において、嵌め込み作業をしやすくするため、第一の隙間Ｓ１に嵌め込み部１０４が嵌め込まれたときに、係止孔２１の上端部との間に１ｍｍ程度の空間が生じるように設定されている。
【００４３】
陳列用什器の支柱２０に取り付けられるオプション部材の取付構造１０の組み付け態様を説明する。
【００４４】
支柱２０、ベースフレーム４０、側板部材６０を用意して、図３〜５の状態から、側板部材６０の係止片８２を、支柱２０の係止孔２１に差し込んで、仮係止状態とする。そして、図１、２、１４に示すように、前縦枠６４の下端部の被係合部７１に、ベースフレーム４０の前端部の係合部４５を挿入して係合させる。このとき、側板部材６０の係止孔２１を支点とする揺動が抑制される。
【００４５】
次に、図１２、１３に参照するように、外れ止め部材１００のコの字部１０１を、内側突片８３の外側に嵌め込む。嵌め込み部１０４の下端面と、連結片１０３の下端面とを、差し込み部材８０の上端面を摺動させながら押し込む。すると、嵌め込み部１０４が、第二の隙間Ｓ２を通過して、係止孔２１の上端部と係止片８２の上面との間に形成された、第一の隙間Ｓ１に到達し、第一の隙間Ｓ１に嵌め込まれる。
【００４６】
外れ止め部材１００のコの字部１０１が、後縦枠６２の前壁と当接すると、第一の隙間Ｓ１及び第二の隙間Ｓ２に、嵌め込み部１０４を挿通させた状態で、嵌め込み部１０４が第一の隙間Ｓ１に嵌め込まれ、コの字部１０１が内側突片８３の外側に嵌め込まれていることになる。
【００４７】
外れ止め部材１００の嵌め込み部１０４が第一の隙間Ｓ１に嵌め込まれることで、側板部材６０の支柱２０に対する移動が規制される。また、外れ止め部材１００の一対の側片１０２は、弾性変形により、内側突片８３とコの字部１０１との嵌め合い状態を強固なものとしている。
【００４８】
上記説明より、取付構造１０は、支柱２０の係止孔２１、内側挿通孔６９、外側挿通孔７０、後縦枠６２に取り付けられる差し込み部材８０、外れ止め部材１００、前縦枠６４の被係合部７１、ベースフレーム４０の係合部４５、第一の隙間Ｓ１、第二の隙間Ｓ２等を構成要素としていることになる。
【００４９】
上記構成の取付構造１０では、陳列用什器の支柱２０に取り付けられるオプション部材の取付構造であって、
支柱２０には、係止孔２１が配設され、
オプション部材としての側板部材６０は、支柱２０と対向する支柱対向枠部６６を有し、
支柱対向枠部６６は、筒状に形成され、支柱２０と対向する側には外側挿通孔７０が、支柱２０と対向する側とは反対側には内側挿通孔６９が配設され、
支柱対向枠部６６には、内側挿通孔６９及び外側挿通孔７０を挿通させた差し込み部材８０が配設され、
差し込み部材８０は、支柱対向枠部６６の外側に突出して、係止孔２１に差し込まれて係止孔２１と係止可能な係止片８２を有し、
係止片８２が、係止孔２１に差し込まれた状態において、係止孔２１の上端部と、係止片８２の上面との間には、第一の隙間Ｓ１が形成され、
第一の隙間Ｓ１に外れ止め部材１００が嵌め込まれている。
【００５０】
これによれば、係止孔２１の上端部と係止片８２の上面との間に形成された第一の隙間Ｓ１に、外れ止め部材１００を嵌め込むという容易な作業で、側板部材６０に力がかけられても、側板部材６０の移動を規制して、支柱２０と側板部材６０の取り付け状態を保持することができる。
【００５１】
また、内側挿通孔６９及び外側挿通孔７０の上端部と、差し込み部材８０の上面との間には、第二の隙間Ｓ２が形成され、
差し込み部材８０には、支柱対向枠部６６の内周側に突出する平板状の内側突片８３が配設され、
外れ止め部材１００が、略コの字状に形成されたコの字部１０１と、コの字部１０１から延設される嵌め込み部１０４と、を有し、
第一の隙間Ｓ１及び第二の隙間Ｓ２に、嵌め込み部１０４を挿通させた状態で、嵌め込み部１０４が第一の隙間Ｓ１に嵌め込まれ、コの字部１０１が内側突片８３の外側に嵌め込まれている。
【００５２】
これによれば、外れ止め部材１００のコの字部１０１を内側突片８３の外側に嵌め込んで、係止片８２側に押し込むことで嵌め込み部１０４を第一の隙間Ｓ１に嵌め込むことが可能となるので、組み付け作業を容易にすることに寄与する。
【００５３】
また、支柱２０の下端部には、支柱２０から前側に延びるベースフレーム４０が配設され、
支柱対向枠部６６には、支柱対向枠部６６から前側に延びてベースフレーム４０と対向するベースフレーム対向枠部６７が配設され、
ベースフレーム４０に配設される係合部４５と、ベースフレーム対向枠部６７に配設される被係合部７１とが係合している。
【００５４】
これによれば、ベースフレーム４０に配設される係合部４５と、ベースフレーム対向枠部６７に配設される被係合部７１とが係合することで、側板部材６０が左右方向へ揺動しようとする動きを規制することが可能となり、支柱２０と側板部材６０の取り付け状態を保持することに寄与する。
【００５５】
オプション部材を、側板部材６０としているので、容易な作業で、支柱２０と側板部材６０の取り付け状態を保持することが可能となる。
【００５６】
本考案の取付構造は上記構成に限定されるものではない。即ち、本考案の要旨を逸脱しない限り各種の設計変更等が可能である。以下に、変形した態様を例示する。
【００５７】
例えば、支柱対向枠部６６は、後縦枠６２のみで構成することができるし、ベースフレーム対向枠部６７は、下枠６３のみで構成することができる。
【００５８】
また、ベースフレーム対向枠部６７の被係合部７１と、ベースフレーム４０の係合部４５の凹凸を逆にすることも可能である。
【００５９】
また、嵌め込み部１０４を頻繁に取り外しすることが無いのであれば、嵌め込み部１０４の上下方向における幅は、第一の隙間Ｓ１の上下方向における幅と、略同一とすることも可能である。
【００６０】
また、支柱２０に取り付けられるものであれば、オプション部材として、ポップスタンド、販売促進用の部材等、側板部材６０以外の既存の部材に適用することが可能である。
【００６１】
また、内側挿通孔６９、外側挿通孔７０、差し込み部材８０、外れ止め部材１００は、それぞれ二つずつ配されるように設定されていたが、二つ以外の数に設定することも可能である。
【符号の説明】
【００６２】
１０  取付構造
２０  支柱
２１  係止孔
４０  ベースフレーム
４５  係合部
６０  側板部材
６６  支柱対向枠部
６７  ベースフレーム対向枠部
６９  内側挿通孔
７０  外側挿通孔
７１  被係合部
８０  差し込み部材
８２  係止片
８３  内側突片
１００  外れ止め部材
１０１  コの字部
１０４  嵌め込み部
Ｓ１  第一の隙間
Ｓ２  第二の隙間
【図１】
0003216777.tif 000003
【図２】
0003216777.tif 000004
【図３】
0003216777.tif 000005
【図４】
0003216777.tif 000006
【図５】
0003216777.tif 000007
【図６】
0003216777.tif 000008
【図７】
0003216777.tif 000009
【図８】
0003216777.tif 000010
【図９】
0003216777.tif 000011
【図１０】
0003216777.tif 000012
【図１１】
0003216777.tif 000013
【図１２】
0003216777.tif 000014
【図１３】
0003216777.tif 000015
【図１４】
0003216777.tif 000016